(57)【要約】【課題】既存の印字装置を活用しつつ無線タグラベルを生成することができる印字装置、無線タグ情報通信装置及び無線タグラベル生成システムを提供する。【解決手段】印字装置２は、カバーフィルム１０３に印字を行う印字ヘッド１０と、印字が行われたカバーフィルム１０３と無線タグ回路素子Ｔｏが備えられたラベル基材テープ１０１とを接着してなる印字済ラベルテープ１１０を切断し、印字ラベルＳを生成するカッタ１５と、制御回路３０とを有している。制御回路３０は、端末５により入力操作された識別情報、印字情報、付加情報を入力し、これらの情報を含むパケット情報を生成し、無線タグ回路素子Ｔｏに対して情報読み取り又は情報書き込みを行う無線タグ情報通信装置３にパケット情報を出力する。また、制御回路３０は、印字ヘッド１０によりカバーフィルム１０３の所定領域に印字情報に対応するラベル印字Ｒを印刷するように制御を行う。【選択図】図２
2008080710.tif 000002
【特許請求の範囲】
【請求項１】
情報を記憶するＩＣ回路部と情報の送受信を行うアンテナとを備えた無線タグ回路素子を有するタグ媒体又はこれに貼り合わされる被印字媒体に印字を行う印字装置であって、
前記無線タグ回路素子の識別情報とこれに対応する印字情報との組合せに基づき、少なくとも前記識別情報を無線タグ情報通信装置へ出力する印字装置側情報出力手段と、
前記タグ媒体又は前記被印字媒体に対し前記印字情報に対応した印字を行う印字手段と
を有することを特徴とする印字装置。
【請求項２】
請求項１記載の印字装置において、
前記識別情報とこれに対応する前記印字情報とを含む結合情報を生成する印字装置側情報生成手段を有し、
前記印字装置側情報出力手段は、前記結合情報を前記無線タグ情報通信装置へ出力する
ことを特徴とする印字装置。
【請求項３】
請求項１記載の印字装置において、
前記識別情報とこれに対応する前記印字情報とを含む結合情報を操作端末より入力する印字装置側情報入力手段を有し、
前記印字手段は、
前記印字装置側情報入力手段で入力した前記結合情報に含まれる前記印字情報に対応した印字を、前記タグ媒体又は前記被印字媒体に対して行い、
前記印字装置側情報出力手段は、前記印字装置側情報入力手段で入力した前記結合情報又はこれに含まれる前記識別情報を前記無線タグ情報通信装置へ出力する
ことを特徴とする印字装置。
【請求項４】
請求項２又は３記載の印字装置において、
前記印字装置側情報出力手段は、
前記識別情報を対応する前記印字情報と関連づけた形で格納可能なデータベースを備えた記憶装置に対して、前記結合情報を出力する
ことを特徴とする印字装置。
【請求項５】
タグ媒体に設けられ情報を記憶するＩＣ回路部と情報の送受信を行うアンテナとを備えた無線タグ回路素子と無線通信を行う通信手段を備えた無線タグ情報通信装置であって、
前記無線タグ回路素子の識別情報とこれに対応する印字情報との組合せに基づき、少なくとも前記印字情報を印字装置へ出力する通信装置側情報出力手段と、
前記通信手段を介し、前記無線タグ回路素子の前記ＩＣ回路部に対し情報読み取り又は情報書き込みを行う情報アクセス手段と
を有することを特徴とする無線タグ情報通信装置。
【請求項６】
請求項５記載の無線タグ情報通信装置において、
前記識別情報とこれに対応する前記印字情報とを含む結合情報を生成する通信装置側情報生成手段を有し、
前記通信装置側情報出力手段は、前記結合情報を前記印字装置へ出力する
ことを特徴とする無線タグ情報通信装置。
【請求項７】
請求項５記載の無線タグ情報通信装置において、
前記識別情報とこれに対応する前記印字情報とを含む結合情報を操作端末より入力する通信装置側情報入力手段を有し、
前記情報アクセス手段は、
前記通信装置側情報入力手段で入力した前記結合情報に含まれる前記識別情報を用いて、前記ＩＣ回路部に対する前記情報読み取り又は前記情報書き込みを行い、
前記通信装置側情報出力手段は、前記通信装置側情報入力手段で入力した前記結合情報又はこれに含まれる前記印字情報を前記印字装置へ出力する
ことを特徴とする無線タグ情報通信装置。
【請求項８】
請求項６又は７記載の無線タグ情報通信装置において、
前記通信装置側情報出力手段は、
前記識別情報を対応する前記印字情報と関連づけた形で格納可能なデータベースを備えた記憶装置に対して、前記結合情報を出力する
ことを特徴とする無線タグ情報通信装置。
【請求項９】
情報を記憶するＩＣ回路部と情報の送受信を行うアンテナとを備えた無線タグ回路素子を有するタグ媒体又はこれに貼り合わされる被印字媒体に印字を行い印字ラベルを作成するための第１印字装置と、
この第１印字装置で作成された前記印字ラベルの前記タグ媒体に備えられた前記無線タグ回路素子と無線通信を行う通信手段を備えた第１無線タグ情報通信装置と、
前記無線タグ回路素子の識別情報を対応する前記印字情報と関連づけた形で格納可能なデータベースを備えた第１記憶装置とを有し、
前記第１印字装置は、
前記識別情報とこれに対応する印字情報とを含む第１結合情報を前記無線タグ情報通信装置へ出力する印字装置側情報出力手段と、
前記タグ媒体又は前記被印字媒体に対し前記印字情報に対応した印字を行う印字手段とを備え、
前記第１無線タグ情報通信装置は、
前記印字装置側情報出力手段から出力された前記第１結合情報に基づき、当該第１結合情報に含まれる前記識別情報を用いて、前記通信手段を介し、前記無線タグ回路素子の前記ＩＣ回路部に対し情報読み取り又は情報書き込みを行う情報アクセス手段を備え、
前記第１記憶装置は、
前記印字装置側情報出力手段から出力された前記第１結合情報に基づき、前記識別情報を対応する前記印字情報と関連づけた形で前記データベースに格納する
ことを特徴とする無線タグラベル生成システム。
【請求項１０】
請求項９記載の無線タグラベル生成システムにおいて、
前記第１結合情報を生成する第１操作端末を有し、
前記第１印字装置は、
前記第１操作端末より前記第１結合情報を入力する印字装置側情報入力手段を備える
ことを特徴とする無線タグラベル生成システム。
【請求項１１】
請求項９又は１０記載の無線タグラベル生成システムにおいて、
前記第１無線タグ情報通信装置は、
前記印字装置側情報出力手段から出力された前記第１結合情報に基づき、前記識別情報と前記印字情報との複数の第１相関を表示可能な通信装置側表示手段と、
この通信装置側表示手段に表示された複数の前記第１相関より、前記情報アクセス手段により前記情報読み取り又は前記情報書き込みを行う無線タグ回路素子に対応するものを選択操作するための通信装置側操作手段と
を備えることを特徴とする無線タグラベル生成システム。
【請求項１２】
請求項１０又は１１記載の無線タグラベル生成システムにおいて、
前記記憶装置は、
前記印字装置側情報出力手段から入力した前記第１結合情報と、前記情報アクセス手段から入力した前記情報読み取り又は前記情報書き込みの完了報告信号とに基づき、情報アクセスの成否を判定する第１判定手段を備える
ことを特徴とする無線タグラベル生成システム。
【請求項１３】
情報を記憶するＩＣ回路部と情報の送受信を行うアンテナとを備えた無線タグ回路素子と無線通信を行う通信手段を備えた第２無線タグ情報通信装置と、
この第２無線タグ情報通信装置で前記無線通信が行われた前記無線タグ回路素子を備えたタグ媒体又はこれに貼り合わされる被印字媒体に印字を行うための第２印字装置と、
前記無線タグ回路素子の識別情報を対応する前記印字情報と関連づけた形で格納可能なデータベースを備えた第２記憶装置とを有し、
前記第２無線タグ情報通信装置は、
前記識別情報とこれに対応する印字情報とを含む第２結合情報を前記印字装置へ出力する通信装置側情報出力手段と、
前記通信手段を介し、前記無線タグ回路素子の前記ＩＣ回路部に対し情報読み取り又は情報書き込みを行う情報アクセス手段とを備え、
前記第２印字装置は、
前記通信装置側情報出力手段から出力された前記第２結合情報に基づき、当該第２結合情報に含まれる前記印字情報に対応した印字を、前記タグ媒体又は前記被印字媒体に対して行う印字手段を備え、
前記第２記憶装置は、
前記通信装置側情報出力手段から出力された前記第２結合情報に基づき、前記識別情報を対応する前記印字情報と関連づけた形で前記データベースに格納する
ことを特徴とする無線タグラベル生成システム。
【請求項１４】
請求項１３記載の無線タグラベル生成システムにおいて、
前記第２結合情報を生成する第２操作端末を有し、
前記第２無線タグ情報通信装置は、
前記第２操作端末より前記第２結合情報を入力する通信装置側情報入力手段を備える
ことを特徴とする無線タグラベル生成システム。
【請求項１５】
請求項１３又は１４記載の無線タグラベル生成システムにおいて、
前記第２印字装置は、
前記通信装置側情報出力手段から出力された前記第２結合情報に基づき、前記識別情報と前記印字情報との複数の第２相関を表示可能な印字装置側表示手段と、
この印字装置側表示手段に表示された複数の前記第２相関より、前記印字手段により印字を行う印字情報に対応するものを選択操作するための印字装置側操作手段と
を備えることを特徴とする無線タグラベル生成システム。
【請求項１６】
請求項１４又は１５記載の無線タグラベル生成システムにおいて、
前記記憶装置は、
前記通信装置側情報出力手段から入力した前記第２結合情報と、前記情報アクセス手段から入力した前記情報読み取り又は前記情報書き込みの完了報告信号とに基づき、情報アクセスの成否を判定する第２判定手段を備える
ことを特徴とする無線タグラベル生成システム。
【発明の詳細な説明】
【技術分野】
【０００１】
本発明は、被印字材に所望の文字を印刷して印字ラベルを作成する印字装置、無線タグ回路素子と無線通信を行う無線タグ情報通信装置及びこれらを有する無線タグラベル生成システムに関する。
【背景技術】
【０００２】
従来、被印字材となるテープをロール状にカートリッジ（テープカセット）内に収納し、ロールよりテープを繰り出しつつ所望の文字を印刷して印字ラベルを作成するテープ印字装置（ラベル作成装置）が既に提唱されている（例えば、特許文献１）。
【０００３】
この従来技術においては、剥離紙を備えた基材テープ（両面粘着テープ）を巻回したロールと、この基材テープに貼り合わされる被印字テープ（フィルムテープ）を巻回したロールとを備え、これら２つのロールから上記基材テープ及び上記被印字テープをそれぞれ繰り出しつつ被印字テープに所定の印字を行い、印字後の被印字テープと上記基材テープとを貼り合わせて印字済みラベル用テープとし、この印字済みラベル用テープを切断手段で所定長さに切断して印字ラベルを作成するようになっている。
【０００４】
【特許文献１】特開２００４−１５５１５０号公報
【発明の開示】
【発明が解決しようとする課題】
【０００５】
近年、情報を記憶可能なＩＣ回路部及びアンテナからなる無線タグ回路素子を備えた小型の無線タグとリーダ／ライタ（読み取り／書き込み装置）との間で非接触で情報の読み取り／書き込みを行うＲＦＩＤ（Ｒａｄｉｏ  Ｆｒｅｑｕｅｎｃｙ  Ｉｄｅｎｔｉｆｉｃａｔｉｏｎ）システムが注目されている。無線タグが汚れている場合や見えない位置に配置されている場合であっても、リーダ／ライタ側よりタグに備えられた無線タグ回路素子にアクセス（情報の読み取り／書き込み）が可能であり、商品管理や検査工程等の様々な分野において既に実用化が進められている。
【０００６】
ここで、このような無線タグについて、ＩＣ回路部の内部に記憶された無線タグ情報とは別にその無線タグ情報に関連した情報を印字して使用するようにすれば、ユーザ側から上記関連情報を視認できて何かと便利である。そこで、上記従来技術にＲＦＩＤシステムを適用し、無線タグ回路素子に無線タグ情報を書き込むと共に当該無線タグ情報に関連した情報を印字することにより無線タグラベルを作成する、無線通信手段を有するテープ印字装置（すなわちタグラベル作成装置）が考えられる。
【０００７】
しかしながら、このような構成であるタグラベル作成装置を新たに採用した場合、従来使用していたテープ印字装置が不要となり、経済的にも非効率である。したがって、既存のテープ印字装置を活用しつつ、無線通信手段を付加して無線タグラベルを作成することが要望されていた。
【０００８】
本発明の目的は、既存の印字装置を活用しつつ無線タグラベルを生成することができる印字装置、無線タグ情報通信装置及び無線タグラベル生成システムを提供することにある。
【課題を解決するための手段】
【０００９】
上記目的を達成するために、第１の発明は、情報を記憶するＩＣ回路部と情報の送受信を行うアンテナとを備えた無線タグ回路素子を有するタグ媒体又はこれに貼り合わされる被印字媒体に印字を行う印字装置であって、前記無線タグ回路素子の識別情報とこれに対応する印字情報との組合せに基づき、少なくとも前記識別情報を無線タグ情報通信装置へ出力する印字装置側情報出力手段と、前記タグ媒体又は前記被印字媒体に対し前記印字情報に対応した印字を行う印字手段とを有することを特徴とする。
【００１０】
本願第１発明の印字装置においては、無線タグ回路素子を備えたタグ媒体又は被印字媒体に対し、印字手段によって印字情報に対応した印字が行われ、印字ラベルが作成される。また、印字装置側情報出力手段により、印字情報と無線タグ回路素子の識別情報との組合せに基づき少なくとも識別情報が無線タグ情報通信装置へ出力される。これにより、上記作成された印字ラベルを操作者が無線タグ情報通信装置に供給することで、無線タグ情報通信装置が、当該識別情報を用いて無線タグ回路素子を特定して、印字ラベルに備えられた無線タグ回路素子のＩＣ回路部に対し情報読み取り又は情報書き込みを行い、印字付きの無線タグラベルを完成させることが可能となる。
【００１１】
以上のようにして、印字装置から無線タグ情報通信装置へと情報を出力しつつ、それら印字装置と無線タグ情報通信装置とを併せて用い、無線タグラベルを生成することができる。この場合、既存の印字装置を活用しつつ、無線タグ情報通信装置を新たに追加するだけで無線タグラベルを生成できる。この結果、ラベル印字機能と無線通信機能との両方を備えた新たな無線タグラベル作成装置を用意するのに比べ、製造コストを低減することができる。
【００１２】
第２の発明は、上記第１発明において、前記識別情報とこれに対応する前記印字情報とを含む結合情報を生成する印字装置側情報生成手段を有し、前記印字装置側情報出力手段は、前記結合情報を前記無線タグ情報通信装置へ出力することを特徴とする。
【００１３】
印字装置側情報生成手段で生成した結合情報を無線タグ情報通信装置へ出力し、無線タグ情報通信装置は当該結合情報に含まれる識別情報を用いて無線タグ回路素子を特定してＩＣ回路部に情報読み取り又は情報書き込みを行うことで、印字付きの無線タグラベルを完成させることができる。
【００１４】
第３の発明は、上記第１発明において、前記識別情報とこれに対応する前記印字情報とを含む結合情報を操作端末より入力する印字装置側情報入力手段を有し、前記印字手段は、前記印字装置側情報入力手段で入力した前記結合情報に含まれる前記印字情報に対応した印字を、前記タグ媒体又は前記被印字媒体に対して行い、前記印字装置側情報出力手段は、前記印字装置側情報入力手段で入力した前記結合情報又はこれに含まれる前記識別情報を前記無線タグ情報通信装置へ出力することを特徴とする。
【００１５】
操作端末で生成した結合情報を印字装置側情報入力手段で入力し、その結合情報に含まれる印字情報を用いて印字手段で印字を行い、印字装置側情報出力手段で結合情報又は識別情報を無線タグ情報通信装置へ出力し、無線タグ情報通信装置はそれらの情報を用いて無線タグ回路素子を特定してＩＣ回路部に情報読み取り又は情報書き込みを行うことで、印字付きの無線タグラベルを完成させることができる。
【００１６】
第４の発明は、上記第２又は第３発明において、前記印字装置側情報出力手段は、前記識別情報を対応する前記印字情報と関連づけた形で格納可能なデータベースを備えた記憶装置に対して、前記結合情報を出力することを特徴とする。
【００１７】
これにより、記憶装置で、印字装置側情報出力手段からの結合情報を用いて、無線タグ回路素子の識別情報と印字情報とを関連づけた形で格納保持することができる。
【００１８】
上記目的を達成するために、第５の発明は、タグ媒体に設けられ情報を記憶するＩＣ回路部と情報の送受信を行うアンテナとを備えた無線タグ回路素子と無線通信を行う通信手段を備えた無線タグ情報通信装置であって、前記無線タグ回路素子の識別情報とこれに対応する印字情報との組合せに基づき、少なくとも前記印字情報を印字装置へ出力する通信装置側情報出力手段と、前記通信手段を介し、前記無線タグ回路素子の前記ＩＣ回路部に対し情報読み取り又は情報書き込みを行う情報アクセス手段とを有することを特徴とする。
【００１９】
本願第５発明の無線タグ情報通信装置においては、通信手段を介し、情報アクセス手段によって無線タグ回路素子のＩＣ回路部に対しアクセス（情報読み取り又は情報書き込み）が行われる。また、通信装置側情報出力手段により、印字情報と無線タグ回路素子の識別情報との組合せに基づき少なくとも印字情報が印字装置へ出力される。これにより、上記アクセスが終了した無線タグ回路素子を備えたタグ媒体を操作者が印字装置に供給することで、印字装置が、タグ媒体又はこれに貼り合わせる被印字媒体に当該印字情報に対応した印字を行い、印字付きの無線タグラベルを完成させることが可能となる。
【００２０】
以上のようにして、無線タグ情報通信装置から印字装置へと情報を出力しつつ、それら印字装置と無線タグ情報通信装置とを併せて用い、無線タグラベルを生成することができる。この場合、既存の印字装置を活用しつつ、無線タグ情報通信装置を新たに追加するだけで無線タグラベルを生成できる。この結果、ラベル印字機能と無線通信機能との両方を備えた新たな無線タグラベル作成装置を用意するのに比べ、製造コストを低減することができる。
【００２１】
第６の発明は、上記第５発明において、前記識別情報とこれに対応する前記印字情報とを含む結合情報を生成する通信装置側情報生成手段を有し、前記通信装置側情報出力手段は、前記結合情報を前記印字装置へ出力することを特徴とする。
【００２２】
通信装置側情報生成手段で生成した結合情報を印字装置へ出力し、印字装置は当該結合情報に含まれる印字情報を用いて対応する印字をタグ媒体又は被印字媒体に行うことで、印字付きの無線タグラベルを完成させることができる。
【００２３】
第７の発明は、上記第５発明において、前記識別情報とこれに対応する前記印字情報とを含む結合情報を操作端末より入力する通信装置側情報入力手段を有し、前記情報アクセス手段は、前記通信装置側情報入力手段で入力した前記結合情報に含まれる前記識別情報を用いて、前記ＩＣ回路部に対する前記情報読み取り又は前記情報書き込みを行い、前記通信装置側情報出力手段は、前記通信装置側情報入力手段で入力した前記結合情報又はこれに含まれる前記印字情報を前記印字装置へ出力することを特徴とする。
【００２４】
操作端末で生成した結合情報を通信装置側情報入力手段で入力し、その結合情報に含まれる識別情報を用いて無線タグ回路素子を特定して情報アクセス手段でＩＣ回路部に対し情報読み取り又は情報書き込みを行い、通信装置側情報出力手段で結合情報又は印字情報を印字装置へ出力し、印字装置はそれらの情報に対応した印字をタグ媒体又は被印字媒体に対し行うことで、印字付きの無線タグラベルを完成させることができる。
【００２５】
第８の発明は、上記第６又は第７発明において、前記通信装置側情報出力手段は、前記識別情報を対応する前記印字情報と関連づけた形で格納可能なデータベースを備えた記憶装置に対して、前記結合情報を出力することを特徴とする。
【００２６】
これにより、記憶装置で、通信装置側情報出力手段からの結合情報を用いて、無線タグ回路素子の識別情報と印字情報とを関連づけた形で格納保持することができる。
【００２７】
上記目的を達成するために、第９の発明は、情報を記憶するＩＣ回路部と情報の送受信を行うアンテナとを備えた無線タグ回路素子を有するタグ媒体又はこれに貼り合わされる被印字媒体に印字を行い印字ラベルを作成するための第１印字装置と、この第１印字装置で作成された前記印字ラベルの前記タグ媒体に備えられた前記無線タグ回路素子と無線通信を行う通信手段を備えた第１無線タグ情報通信装置と、前記無線タグ回路素子の識別情報を対応する前記印字情報と関連づけた形で格納可能なデータベースを備えた第１記憶装置とを有し、前記第１印字装置は、前記識別情報とこれに対応する印字情報とを含む第１結合情報を前記無線タグ情報通信装置へ出力する印字装置側情報出力手段と、前記タグ媒体又は前記被印字媒体に対し前記印字情報に対応した印字を行う印字手段とを備え、前記第１無線タグ情報通信装置は、前記印字装置側情報出力手段から出力された前記第１結合情報に基づき、当該第１結合情報に含まれる前記識別情報を用いて、前記通信手段を介し、前記無線タグ回路素子の前記ＩＣ回路部に対し情報読み取り又は情報書き込みを行う情報アクセス手段を備え、前記第１記憶装置は、前記印字装置側情報出力手段から出力された前記第１結合情報に基づき、前記識別情報を対応する前記印字情報と関連づけた形で前記データベースに格納することを特徴とする。
【００２８】
本願第９発明の無線タグラベル生成システムでは、第１印字装置において、無線タグ回路素子を備えたタグ媒体又は被印字媒体に対し、印字手段によって印字情報に対応した印字が行われ、印字ラベルが作成される。また、印字装置側情報出力手段により、印字情報と無線タグ回路素子の識別情報との組合せに基づき少なくとも識別情報が出力される。
【００２９】
上記作成された印字ラベルを操作者が第１無線タグ情報通信装置に供給すると、第１無線タグ情報通信装置において、印字装置側情報出力手段より入力された第１結合情報に含まれる識別情報を用いて無線タグ回路素子を特定し、情報アクセス手段により、印字ラベルに備えられた無線タグ回路素子のＩＣ回路部に対し情報読み取り又は情報書き込みを行い、印字付きの無線タグラベルを完成させることができる。また第１記憶装置で、印字装置側情報出力手段からの第１結合情報を用いて、無線タグ回路素子の識別情報と印字情報とを関連づけた形で格納保持することができる。
【００３０】
以上のようにして、第１印字装置から第１無線タグ情報通信装置へと情報を出力しつつ、それら第１印字装置と第１無線タグ情報通信装置とを併せて用い、無線タグラベルを生成することができる。この場合、既存の印字装置を活用しつつ、無線タグ情報通信装置を新たに追加するだけで無線タグラベルを生成できる。この結果、ラベル印字機能と無線通信機能との両方を備えた新たな無線タグラベル作成装置を用意するのに比べ、製造コストを低減することができる。
【００３１】
第１０の発明は、第９発明において、前記第１結合情報を生成する第１操作端末を有し、前記第１印字装置は、前記第１操作端末より前記第１結合情報を入力する印字装置側情報入力手段を備えることを特徴とする。
【００３２】
第１操作端末で生成した第１結合情報を第１印字装置の印字装置側情報入力手段で入力し、その第１結合情報に含まれる印字情報を用いて印字手段で印字を行い、印字装置側情報出力手段で第１結合情報を第１無線タグ情報通信装置へ出力し、第１無線タグ情報通信装置はその第１結合情報に含まれる識別情報を用いて無線タグ回路素子を特定してＩＣ回路部に情報読み取り又は情報書き込みを行うことで、印字付きの無線タグラベルを完成させることができる。
【００３３】
第１１の発明は、第９又は第１０発明において、前記第１無線タグ情報通信装置は、前記印字装置側情報出力手段から出力された前記第１結合情報に基づき、前記識別情報と前記印字情報との複数の第１相関を表示可能な通信装置側表示手段と、この通信装置側表示手段に表示された複数の前記第１相関より、前記情報アクセス手段により前記情報読み取り又は前記情報書き込みを行う無線タグ回路素子に対応するものを選択操作するための通信装置側操作手段とを備えることを特徴とする。
【００３４】
これにより、第１印字装置で作成が終了した複数の印字ラベルに関し、無線タグ回路素子の識別情報と印字情報との第１相関が通信装置側表示手段で複数個表示されている状態で、通信装置側操作手段で操作者が選択操作し、当該選択に係る印字ラベルを第１無線タグ情報通信装置へ供給すると、その印字ラベルに備えられた無線タグ回路素子に対し情報読み取り又は情報書き込みを行って無線タグラベルを生成することができる。
【００３５】
第１２の発明は、上記第１０又は第１１発明において、前記記憶装置は、前記印字装置側情報出力手段から入力した前記第１結合情報と、前記情報アクセス手段から入力した前記情報読み取り又は前記情報書き込みの完了報告信号とに基づき、情報アクセスの成否を判定する第１判定手段を備えることを特徴とする。
【００３６】
これにより、情報アクセス手段による情報読み取り又は情報書き込みが正しく行われたかどうかを識別することができる。
【００３７】
上記目的を達成するために、第１３の発明は、情報を記憶するＩＣ回路部と情報の送受信を行うアンテナとを備えた無線タグ回路素子と無線通信を行う通信手段を備えた第２無線タグ情報通信装置と、この第２無線タグ情報通信装置で前記無線通信が行われた前記無線タグ回路素子を備えたタグ媒体又はこれに貼り合わされる被印字媒体に印字を行うための第２印字装置と、前記無線タグ回路素子の識別情報を対応する前記印字情報と関連づけた形で格納可能なデータベースを備えた第２記憶装置とを有し、前記第２無線タグ情報通信装置は、前記識別情報とこれに対応する印字情報とを含む第２結合情報を前記印字装置へ出力する通信装置側情報出力手段と、前記通信手段を介し、前記無線タグ回路素子の前記ＩＣ回路部に対し情報読み取り又は情報書き込みを行う情報アクセス手段とを備え、前記第２印字装置は、前記通信装置側情報出力手段から出力された前記第２結合情報に基づき、当該第２結合情報に含まれる前記印字情報に対応した印字を、前記タグ媒体又は前記被印字媒体に対して行う印字手段を備え、前記第２記憶装置は、前記通信装置側情報出力手段から出力された前記第２結合情報に基づき、前記識別情報を対応する前記印字情報と関連づけた形で前記データベースに格納することを特徴とする。
【００３８】
本願第１３発明の無線タグラベル生成システムでは、第２無線タグ情報通信装置において、通信手段を介し、情報アクセス手段によって無線タグ回路素子のＩＣ回路部に対しアクセス（情報読み取り又は情報書き込み）が行われる。また、通信装置側情報出力手段により、印字情報と無線タグ回路素子の識別情報との組合せに基づき少なくとも印字情報が出力される。
【００３９】
上記情報読み取り又は情報書き込みが終了した無線タグ回路素子を備えたタグ媒体を操作者が第２印字装置に供給すると、第２印字装置において、印字手段で、通信装置側情報出力手段より入力された第２結合情報に含まれる印字情報に対応した印字をタグ媒体又はこれに貼り合わせる被印字媒体に対して行い、印字付きの無線タグラベルを完成させることができる。また第２記憶装置で、通信装置側情報出力手段からの第２結合情報を用いて、無線タグ回路素子の識別情報と印字情報とを関連づけた形で格納保持することができる。
【００４０】
以上のようにして、第２無線タグ情報通信装置から第２印字装置へと情報を出力しつつ、それら第２印字装置と第２無線タグ情報通信装置とを併せて用い、無線タグラベルを生成することができる。この場合、既存の印字装置を活用しつつ、無線タグ情報通信装置を新たに追加するだけで無線タグラベルを生成できる。この結果、ラベル印字機能と無線通信機能との両方を備えた新たな無線タグラベル作成装置を用意するのに比べ、製造コストを低減することができる。
【００４１】
第１４の発明は、上記第１３発明において、前記第２結合情報を生成する第２操作端末を有し、前記第２無線タグ情報通信装置は、前記第２操作端末より前記第２結合情報を入力する通信装置側情報入力手段を備えることを特徴とする。
【００４２】
第２操作端末で生成した第２結合情報を第２無線タグ情報通信装置の通信装置側情報入力手段で入力し、その第２結合情報に含まれる識別情報を用いて無線タグ回路素子を特定してＩＣ回路部に情報読み取り又は情報書き込みを行い、通信装置側情報出力手段で第２結合情報を第２印字装置へ出力し、第２印字装置はその第２結合情報に含まれる印字情報を用いて印字手段で印字を行うことで、印字付きの無線タグラベルを完成させることができる。
【００４３】
第１５の発明は、上記第１３又は第１４発明において、前記第２印字装置は、前記通信装置側情報出力手段から出力された前記第２結合情報に基づき、前記識別情報と前記印字情報との複数の第２相関を表示可能な印字装置側表示手段と、この印字装置側表示手段に表示された複数の前記第２相関より、前記印字手段により印字を行う印字情報に対応するものを選択操作するための印字装置側操作手段とを備えることを特徴とする。
【００４４】
これにより、第２無線タグ情報通信装置で無線タグ回路素子のＩＣ回路部に対する情報読み取り又は情報書き込みが終了した複数のラベル媒体に関し、無線タグ回路素子の識別情報と印字情報との第２相関が印字装置側表示手段で複数個表示されている状態で、印字装置側操作手段で操作者が選択操作し、当該選択に係る印字ラベルを第２印字装置へ供給すると、そのラベルに備えられたタグ媒体又は被印字媒体に対し印字を行って無線タグラベルを生成することができる。
【００４５】
第１６の発明は、上記第１４又は第１５発明において、前記記憶装置は、前記通信装置側情報出力手段から入力した前記第２結合情報と、前記情報アクセス手段から入力した前記情報読み取り又は前記情報書き込みの完了報告信号とに基づき、情報アクセスの成否を判定する第２判定手段を備えることを特徴とする。
【００４６】
これにより、情報アクセス手段による情報読み取り又は情報書き込みが正しく行われたかどうかを識別することができる。
【発明の効果】
【００４７】
本発明によれば、既存の印字装置を活用しつつ無線タグラベルを生成することができ、かつ安いコストで無線タグラベル作成システムを構築することができる。
【発明を実施するための最良の形態】
【００４８】
以下、本発明の実施の形態を図面を参照しつつ説明する。
【００４９】
本発明の第１の実施形態を図１〜図１３により説明する。
【００５０】
図１は、本実施形態の印字装置及び無線タグ情報通信装置を備えた無線タグラベル生成システムを表すシステム構成図である。
【００５１】
図１に示すこの無線タグラベル生成システム１において、印字装置２及び無線タグ情報通信装置３は、有線あるいは無線による通信回線４を介して端末５、汎用コンピュータ６及び情報サーバ７に接続されている。
【００５２】
図２は、上記印字装置２の全体構造を概念的に表す概念的構成図である。図２において、印字装置２の装置本体８には、印字ラベルＳを生成するための印字ラベル用カートリッジ１００が着脱可能に取り付けられている。
【００５３】
印字ラベル用カートリッジ１００は、帯状のラベル基材テープ１０１（タグ媒体）が巻回された第１ロール１０２と、上記ラベル基材テープ１０１と略同じ幅である透明な印字用カバーフィルム１０３（被印字媒体）が巻回された第２ロール１０４と、インクリボン１０５を繰り出すリボン供給側ロール１１１と、印字後のリボン１０５を巻取るリボン巻取りローラ１０６と、ラベル基材テープ１０１とカバーフィルム１０３とを押圧し接着させ印字済ラベルテープ１１０としつつ矢印で示す方向にテープ送りをし、印字ラベル用カートリッジ１００から繰り出すテープ送りローラ１０７とを有している。上記ラベル基材テープ１０１には、複数の無線タグ回路素子Ｔｏ（図３参照）がテープ長手方向に等間隔で順次形成されている。
【００５４】
また装置本体８は、上記カバーフィルム１０３に所定の印字（印刷）を行う印字手段としての印字ヘッド（サーマルヘッド）１０と、この印字ヘッド１０への通電を制御する印刷駆動回路２５と、上記リボン巻取りローラ１０６を駆動するリボン巻取りローラ駆動軸１１と、上記テープ送りローラ１０７を駆動するテープ送りローラ駆動軸１２と、このテープ送りローラ駆動軸１２及び上記リボン巻取りローラ駆動軸１１を駆動する例えばパルスモータである印字ラベルカートリッジ用モータ２３と、この印字カートリッジ用モータ２３の駆動を制御する印字ラベルカートリッジ駆動回路２４と、印字済ラベルテープ１１０を所定のタイミングで所定の長さに切断し印字ラベルＳを生成するカッタ１５と、このカッタ１５を駆動して切断動作を行わせるカッタ用ソレノイド２６と、このソレノイド２６を制御するソレノイド駆動回路２７とを有している。
【００５５】
上記の印字ラベルカートリッジ駆動回路２４、印刷駆動回路２５、ソレノイド駆動回路２７は、制御回路３０によって制御される。この制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。またこの制御回路３０は、入出力インターフェイス３１を介し例えば通信回線４に接続され、この通信回線４に接続された前述の端末５、汎用コンピュータ６及び情報サーバ７等との間で情報のやりとりが可能となっている。
【００５６】
上記構成において、上記カートリッジ用モータ２３の駆動力によってリボン巻取りローラ１０６及びテープ送りローラ１０７が矢印で示す方向にそれぞれ同期して回転駆動される。このとき、上記テープ送りローラ駆動軸１２とサブローラ１０９及びプラテンローラ１０８とはギヤ（図示せず）にて連結されており、テープ送りローラ駆動軸１２の駆動に伴いテープ送りローラ１０７、サブローラ１０９、及びプラテンローラ１０８が回転する。この結果、第１ロール１０２から４層構造（後述）のラベル基材テープ１０１が繰り出されテープ送りローラ１０７へ供給されるとともに、第２ロール１０４よりカバーフィルム１０３が繰り出される。
【００５７】
この繰り出されたカバーフィルム１０３は、その裏面側（すなわち上記ラベル基材テープ１０１と接着される側）に配置された上記リボン供給側ロール１１１及びリボン巻取りローラ１０６で駆動されるリボン１０５とともに印字ヘッド１０とプラテンローラ１０８との間に狭持され、上記印字ヘッド１０に押圧されることで当該カバーフィルム１０３の裏面に当接させられる。このとき、上記印刷駆動回路２５により印字ヘッド１０の複数の発熱素子が通電され、カバーフィルム１０３の裏面の所定の領域（被印字面）に所定の文字、記号、バーコード、ストライプ等の印字Ｒ（後述の図４等参照）が印刷される（詳細は後述）。カバーフィルム１０３への印字が終了したインクリボン１０５は、リボン巻取りローラ駆動軸１１の駆動によりリボン巻取りローラ１０６に巻取られる。
【００５８】
印字後のカバーフィルム１０３は、上記ラベル基材テープ１０１とともにテープ送りローラ１０７及びサブローラ１０９との間に狭持され、この結果互いに接着されて一体化され、印字済ラベルテープ１１０として形成される。そして、その印字済ラベルテープ１１０がカッタ１５によって所定の長さに切断されることで、無線タグ回路素子Ｔｏを含む印字ラベルＳ（詳細は後述）が生成され、その印字ラベルＳが搬出口８Ｂ（図１参照）から搬出される。
【００５９】
図３は、上記印字ラベルＳの側断面構造を表す縦断面図であり、図２中のIII部の部分拡大図に相当する図である。
【００６０】
図３において、印字ラベルＳは、前述したようにカバーフィルム１０３の裏面にこの例では４層構造の上記ラベル基材テープ１０１が接着された構造となっている。ラベル基材テープ１０１の部分は、カバーフィルム１０３側（図３中上側）よりその反対側へ向かって、粘着層１０１ａ、ＰＥＴ（ポリエチレンテレフタラート）等から成る色付きのベースフィルム１０１ｂ、貼り付け対象に貼り付けるための粘着材を備えた粘着層１０１ｃ、この粘着層１０１ｃの貼り付け側を覆う剥離紙１０１ｄの順序で積層され構成されている。なお、この剥離紙１０１ｄは、最終的に貼り付け対象に貼り付けられる際に、これを剥がすことで粘着層１０１ｃにより接着できるようにしたものである。
【００６１】
粘着層１０１ｃには、情報を記憶するＩＣ回路部１５１とこのＩＣ回路部１５１に接続され情報の送受信を行うアンテナ（アンテナ部）１５２が形成されており、これらＩＣ回路部１５１及びアンテナ１５２によって無線タグ回路素子Ｔｏが構成されている。
【００６２】
図４は、上記印字ラベルＳの上面図である。図４において、印字ラベルＳのカバーフィルム１０３の裏面（被印字面）には、前述したように、所定の文字、記号、バーコード、ストライプ等の印字Ｒが印刷されている。この印字Ｒは、ユーザの便宜のために設けられる印字であり、貼り付ける対象物品に関する情報や、対応する無線タグ回路素子Ｔｏの内容にある程度対応する情報等を表すものである。
【００６３】
図５は、印字装置２の制御回路３０によって実行される印字制御手順を表すフローチャートである。
【００６４】
この図５において、端末５又は汎用コンピュータ６の指示入力により印字装置２が作動されると、このフローが開始される。
【００６５】
まず、ステップＳ５において、上記端末５又は汎用コンピュータ６により入力操作された識別情報、印字情報、付加情報が通信回線４を介して入力されたかどうかが判断され、この判定が満たされると、ステップＳ１０に移る。ここで、識別情報は、無線タグ回路素子Ｔｏに固有のタグＩＤ（アクセス（読み取り又は書き込み）ＩＤ）である。印字情報は、無線タグ回路素子Ｔｏに対応して印刷されるべき上記の印字Ｒ（文字、記号、バーコード、ストライプ等）である。付加情報は、無線タグ回路素子Ｔｏに係る他の情報（例えば管理者や日付等の情報）である。
【００６６】
ステップＳ１０では、上記の識別情報、印字情報、付加情報とヘッダとで構成された結合情報であるパケット情報（後述の図６参照）を生成する。続いて、ステップＳ１５において、生成されたパケット情報を、通信回線４を介して無線タグ情報通信装置３及び情報サーバ７にそれぞれ出力する。
【００６７】
続いて、ステップＳ２０において、印字ラベルカートリッジ駆動回路２４に制御信号を出力し、印字ラベルカートリッジ用モータ２３の駆動力をリボン巻取りローラ１０６及びテープ送りローラ１０７に伝達し回転駆動させる。これにより、第１ロール１０２から４層構造のラベル基材テープ１０１が繰り出されてテープ送りローラ１０７へ供給され、第２ロール１０４からはカバーフィルム１０３が繰り出される。
【００６８】
またこのとき、印刷駆動回路２５に制御信号を出力し、印字ヘッド１０を通電して、カバーフィルム１０３の所定領域に、ステップＳ５で読み込んだ印字情報に基づくラベル印字Ｒを印刷させる。
【００６９】
その後ステップＳ２５でラベル印字Ｒの印刷が完了したかどうかを適宜の手法で確認（印刷駆動回路２５や印字ヘッド１０よりフィードバック信号を入力してもよいし、公知のセンサで検出してもよい）した後、ステップＳ３０に移る。
【００７０】
ステップＳ３０では、印字済ラベルテープ１１０（又はラベル基材テープ１０１、もしくはカバーフィルム１０３）の搬送量の検出信号を入力し、印字済ラベルテープ１１０がカッタ１５でカットすべき位置まで搬送されたかどうかを判断する。このときの搬送距離検出は、例えば、カバーフィルム１０３又はラベル基材テープ１０１の適宜の位置に搬送距離検出用に別途設けたマーキング（図示せず）を何らかの公知のセンサ（図示せず）で検出することにより行えば足りる。
【００７１】
判定が満たされたらステップＳ３５に移り、印字ラベルカートリッジ駆動回路２４に制御信号を出力し、印字ラベルカートリッジ用モータ２３の駆動を停止して、テープ送りローラ１０７及びリボン巻取りローラ１０６の回転を停止する。これにより、第１ロール１０２からのラベル基材テープ１０１の繰り出し・搬送、第２ロール１０４からのカバーフィルム１０３の繰り出し・搬送、及びリボン供給側ロール１１１からのインクリボン１０５の繰り出しが停止する。
【００７２】
その後、ステップＳ４０において、ソレノイド駆動回路２７に制御信号を出力し、カッタ用ソレノイド２６を駆動しカッタ１５によって印字済ラベルテープ１１０の切断を行う。このカッタ１５の切断によって、ラベル印字Ｒが含まれた印字ラベルＳが生成される。
【００７３】
その後、ステップＳ４５に移り、例えば適宜の駆動回路を介し、装置本体８の搬出口８Ｂ（図１参照）側に位置する送出ローラ（図示せず）を回転させる。これにより、上記ステップＳ４０で生成された印字ラベルＳが搬出口８Ｂから装置２外へと搬出される。
【００７４】
なお、ステップＳ１０において生成されたパケット情報を無線タグ情報通信装置３及び情報サーバ７に出力するタイミングとしては、特に上記のようなステップＳ１０とステップＳ２０との間には限られず、例えば印字ラベルＳが装置本体８から搬出された直後よりも前であれば良い。
【００７５】
以上において、ステップＳ５，Ｓ１０は、識別情報とこれに対応する印字情報とを含む結合情報を生成する印字装置側情報生成手段を構成する。またステップＳ１５は、無線タグ回路素子の識別情報とこれに対応する印字情報との組合せに基づき、少なくとも識別情報を無線タグ情報通信装置へ出力する印字装置側情報出力手段を構成する。
【００７６】
ここでは、印字装置２の制御回路３０において識別情報、印字情報、付加情報を含むパケット情報を生成するものとしたが、特にこれに限られず、端末５においてパケット情報を生成し、そのパケット情報を制御回路３０に送るようにしても良い。
【００７７】
図６は、印字装置２の制御回路３０の処理により生成されるパケット情報の構成を概念的に表す図である。この図６に示すように、パケット情報は、識別情報（ＩＤ情報）、印字情報、付加情報、及び各情報に対応するヘッダとで構成されている。
【００７８】
図７は、上記無線タグ情報通信装置３の全体構造を概念的に表す概念的構成図である。図７において、無線タグ情報通信装置３の装置本体９には、上記の印字装置２により生成された印字ラベルＳが搬入口９Ａ（図１参照）から搬入されるようになっている。
【００７９】
装置本体９は、搬入口９Ａから搬入された印字ラベルＳを矢印で示す方向に搬送するラベル送りローラ１１７と、このラベル送りローラ１１７を駆動するラベル送りローラ駆動軸１１８と、このラベル送りローラ駆動軸１１８を駆動する例えばパルスモータであるラベル送りローラ用モータ１１９と、このラベル送りローラ用モータ１１９の駆動を制御するラベル送りローラ駆動回路１２０と、印字ラベルＳに備えられる無線タグ回路素子Ｔｏ（詳細は後述）との間でＵＨＦ帯等の高周波を用いて無線通信により信号の授受を行うアンテナ１４（通信手段）と、このアンテナ１４を介し上記無線タグ回路素子Ｔｏへアクセスする（読み取り又は書き込みを行う）ことで、印字付きの無線タグラベルＴを完成させるための高周波回路２１と、無線タグ回路素子Ｔｏから読み出された信号を処理するための信号処理回路２２と、印字付きの無線タグラベルＴを搬出口９Ｂ（図１参照）へと案内するための搬送ガイド１３とを有している。
【００８０】
さらに装置本体８は、上記の高周波回路２１、信号処理回路２２、ラベル送りローラ駆動回路１２０等を介し、無線タグ情報通信装置３全体の動作を制御する制御回路１３０と、この制御回路１３０と接続され表示機能及び操作入力機能をもったタッチパネル１４０とを有している。制御回路１３０は、上記の制御回路３０と同様に、いわゆるマイクロコンピュータである。また制御回路１３０は、入出力インターフェイス１３１を介し例えば通信回線４に接続され、この通信回線４に接続された前述の端末５、汎用コンピュータ６、及び情報サーバ７等との間で情報のやりとりが可能である。タッチパネル１４０には、無線タグ回路素子Ｔｏに対しアクセスを行うべき印字ラベルＳに対応する印字情報が表示される（必要に応じその他の情報を表示してもよい）。
【００８１】
図８は、上記高周波回路２１の詳細機能を表す機能ブロック図である。この図８において、高周波回路２１は、アンテナ１４を介し無線タグ回路素子Ｔｏに対して信号を送信する送信部３２と、アンテナ１４により受信された無線タグ回路素子Ｔｏからの反射波を入力する受信部３３と、送受分離器３４とから構成される。
【００８２】
送信部３２は、制御回路１３０からの制御信号（搬送波発生指令信号）に応じ、無線タグ回路素子ＴｏのＩＣ回路部１５１の無線タグ情報にアクセスする（読み取り又は書き込み）ための搬送波を発生させる水晶振動子３５、ＰＬＬ（Ｐｈａｓｅ  Ｌｏｃｋｅｄ  Ｌｏｏｐ）３６、及びＶＣＯ（Ｖｏｌｔａｇｅ  Ｃｏｎｔｒｏｌｌｅｄ  Ｏｓｃｉｌｌａｔｏｒ）３７と、上記信号処理回路２２から供給される信号に基づいて上記発生させられた搬送波を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波（無線タグ情報）を、制御回路１３０からの「ＴＸ＿ＰＷＲ」信号によって増幅率を決定し増幅する可変送信アンプ３９とを備えている。そして、上記発生される搬送波は、好適にはＵＨＦ帯の周波数を用いており、上記送信アンプ３９の出力は、送受分離器３４を介してアンテナ１４に伝達されて無線タグ回路素子ＴｏのＩＣ回路部１５１に供給される。なお、無線タグ情報は上記のように変調した信号に限られず、単なる搬送波のみの場合もある。
【００８３】
受信部３３は、アンテナ１４により受信された無線タグ回路素子Ｔｏからの反射波と上記発生させられた搬送波とを掛け合わせる受信第１乗算回路４０と、その受信第１乗算回路４０の出力から必要な帯域の信号のみを取り出すための第１バンドパスフィルタ４１と、この第１バンドパスフィルタ４１の出力を増幅する受信第１アンプ４３と、この受信第１アンプ４３の出力をさらに増幅してデジタル信号に変換する第１リミッタ４２と、上記アンテナ１４により受信された無線タグ回路素子Ｔｏからの反射波と上記発生された後に移相器４９により位相が９０°遅れた搬送波とを掛け合わせる受信第２乗算回路４４と、その受信第２乗算回路４４の出力から必要な帯域の信号のみを取り出すための第２バンドパスフィルタ４５と、この第２バンドパスフィルタ４５の出力を増幅する受信第２アンプ４７と、この受信第２アンプ４７の出力をさらに増幅してデジタル信号に変換する第２リミッタ４６とを備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。
【００８４】
また、受信第１アンプ４３及び受信第２アンプ４７の出力は、ＲＳＳＩ（Ｒｅｃｅｉｖｅｄ  Ｓｉｇｎａｌ  Ｓｔｒｅｎｇｔｈ  Ｉｎｄｉｃａｔｏｒ）回路４８にも入力され、それらの信号の強度を示す信号「ＲＳＳＩ」が信号処理回路２２に入力されるようになっている。このようにして、本実施形態の無線タグ情報通信装置３では、Ｉ−Ｑ直交復調によって無線タグ回路素子Ｔｏからの反射波の復調が行われる。
【００８５】
図９は、上記無線タグ回路素子Ｔｏの機能的構成を表す機能ブロック図である。この図９において、無線タグ回路素子Ｔｏは、無線タグ情報通信装置３側のアンテナ１４とＵＨＦ帯等の高周波を用いて非接触で信号の送受信を行う上記アンテナ１５２と、このアンテナ１５２に接続された上記ＩＣ回路部１５１とを有している。
【００８６】
ＩＣ回路部１５１は、アンテナ１５２により受信された搬送波を整流する整流部１５３と、この整流部１５３により整流された搬送波のエネルギを蓄積しＩＣ回路部１５１の駆動電源とするための電源部１５４と、上記アンテナ１５２により受信された搬送波からクロック信号を抽出して制御部１５５に供給するクロック抽出部１５６と、所定の情報信号を記憶し得るメモリ部１５７と、上記アンテナ１５２に接続された変復調部１５８と、上記整流部１５３、クロック抽出部１５６、及び変復調部１５８等を介して上記無線タグ回路素子Ｔｏの作動を制御するための上記制御部１５５とを備えている。
【００８７】
変復調部１５８は、アンテナ１５２により受信された上記無線タグ情報通信装置３のアンテナ１４からの通信信号の復調を行うと共に、上記制御部１５５からの応答信号に基づき、アンテナ１５２より受信された搬送波を変調反射する。
【００８８】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００８９】
上述した構成により、無線タグ情報通信装置３は、印字装置２で作成された印字ラベルＳに備えられる無線タグ回路素子ＴｏのＩＣ回路部１５１へ上記タグＩＤ（及び必要に応じてこれと対応する付加情報の一部又は全部）の書き込みを行うことで、印字付きの無線タグラベルＴを作成することができる（ＩＣ回路部１５１への情報の書き込み処理のついては後に詳述する）。
【００９０】
図１０は、無線タグ情報通信装置３の制御回路１３０によって実行される制御のうち、上記印字付きの無線タグラベルＴの作成手順を表すフローチャートである。
【００９１】
この図１０において、端末５又は汎用コンピュータ６の指示入力により無線タグ情報通信装置３が作動されると、このフローが開始される。
【００９２】
まず、ステップＳ１０５において、上記端末５又は汎用コンピュータ６により入力操作された、通信不良等が疑われるときのリトライ（再試行）の回数をカウントする変数Ｎ、通信良好か不良かを表すフラグＦ、無線タグ回路素子Ｔｏからの応答がない場合にリトライ（再試行）を行う回数をカウントする変数Ｍを０に初期化する。
【００９３】
そして、ステップＳ１１０において、上記印字装置２から送信されたパケット情報が通信回線４を介して入力されたかどうかが判断され、この判定が満たされると、ステップＳ１１５に移る。ステップＳ１１５では、入力したパケット情報の中から、アンテナ１４を介し無線タグ回路素子Ｔｏに書き込むべき無線タグ情報である識別情報（タグＩＤ情報）を取得する。
【００９４】
そして、ステップＳ１２０において、ラベル送りローラ駆動回路１２０に制御信号を出力し、ラベル送りローラ用モータ１１９の駆動力をラベル送りローラ１１７に伝達し、回転駆動させる。これにより、装置本体９の搬入口９Ａから挿入された印字ラベルＳの搬送が開始される。
【００９５】
そして、印字ラベルＳが書き込み位置（印字ラベルＳの無線タグ回路素子Ｔｏがアンテナ１４と略対峙する位置）に到達したら、ステップＳ１２５において、ラベル送りローラ駆動回路１２０に制御信号を出力し、ラベル送りローラ用モータ１１９の駆動を停止して、ラベル送りローラ１１７の回転を停止する。これにより、無線タグラベルＴの搬送が停止する。
【００９６】
次のステップＳ１３０において、無線タグ回路素子Ｔｏへの情報書き込みを行い、印字付きの無線タグラベルＴを生成する（詳細は後述の図１１参照）。
【００９７】
そして、ステップＳ１３５において、フラグＦ＝０であるかどうか（言いかえれば無線タグ情報書き込みが正常に終了したかどうか）を判定する。
【００９８】
書き込み処理が正常に完了していればＦ＝０のままである（後述の図１１に示すフローのステップＳ２８５参照）ので、この判定が満たされ、ステップＳ１４０に移る。なお、何らかの理由で書き込み処理が正常に完了していない場合はＦ＝１とされている（後述の図１１に示すフローのステップＳ２８５参照）ので、ステップＳ１３５の判定が満たされず、ステップＳ１９０に移る。
【００９９】
ステップＳ１４０では、書き込み成功信号を入出力インターフェイス１３１及び通信回線４を介し情報サーバ７へ出力する。そして、ステップＳ１４５において、無線タグ回路素子Ｔｏに対して書き込むべき又は書き込んだ情報（書き込み情報）を入出力インターフェイス１３１及び通信回線４を介し情報サーバ７へ出力する。
【０１００】
その後、ステップＳ１５０において、例えば適宜の駆動回路を介し、装置本体９の搬出口９Ｂ（図１参照）側に位置する送出ローラ（図示せず）を回転させる。これにより、生成された無線タグラベルＴが搬送ガイド１３に沿って導かれた後搬出口９Ｂから無線タグ情報通信装置３外へと搬出され、このフローを終了する。
【０１０１】
一方、ステップＳ１９０では、書き込み失敗（エラー）信号を入出力インターフェイス１３１及び通信回線４を介し情報サーバ７へ出力し、このフローを終了する。
【０１０２】
図１１は、上述したステップＳ１２５の詳細手順を表すフローチャートである。
【０１０３】
まずステップＳ２２０において、メモリ部１５７のデータを消去する「Ｅｒａｓｅ」コマンドを信号処理回路２２に出力する。これに基づき信号処理回路２２でアクセス情報としての「Ｅｒａｓｅ」信号が生成されて高周波回路２１を介してアクセス対象（この例では書き込み対象）の無線タグ回路素子Ｔｏに送信され、そのメモリ部１５７を初期化する。
【０１０４】
次に、ステップＳ２３０において、先に行った処理（ここではステップＳ２２０のＥｒａｓｅコマンド）が成功したか否かを確認する「Ｖｅｒｉｆｙ」コマンドを信号処理回路２２に出力する。これに基づき信号処理回路２２でアクセス情報としての「Ｖｅｒｉｆｙ」信号が生成されて高周波回路２１を介して情報書き込み対象の無線タグ回路素子Ｔｏに送信され、返信を促す。その後ステップＳ２４０において、上記「Ｖｅｒｉｆｙ」信号に対応して書き込み対象の無線タグ回路素子Ｔｏから送信されたリプライ信号をアンテナ１４を介して受信し、高周波回路２１及び信号処理回路２２を介し取り込む。
【０１０５】
次に、ステップＳ２５０において、リプライ信号に基づき、当該無線タグ回路素子Ｔｏのメモリ部１５７内の情報を確認し、メモリ部１５７が正常に初期化されたか否かを判定する。
【０１０６】
判定が満たされない場合はステップＳ２６０に移ってＭに１を加え、さらにステップＳ２７０においてＭ＝５かどうかが判定される。Ｍ≦４の場合は判定が満たされずステップＳ２２０に戻り同様の手順を繰り返す。Ｍ＝５の場合はステップＳ２８５に移り、フラグＦ＝１にしてこのルーチンを終了する。このようにして初期化が不調でも５回までは再試行が行われる。
【０１０７】
ステップＳ２５０の判定が満たされた場合、ステップＳ２９０に移り、所望のデータをメモリ部１５７に書き込む「Ｐｒｏｇｒａｍ」コマンドを信号処理回路２２に出力する。これに基づき信号処理回路２２で本来書き込みたい所定の情報であるアクセス情報としての「Ｐｒｏｇｒａｍ」信号が生成されて高周波回路２１を介して情報書き込み対象の無線タグ回路素子Ｔｏに送信され、そのメモリ部１５７に上記所定の情報が書き込まれる。
【０１０８】
その後、ステップＳ３００において、「Ｖｅｒｉｆｙ」コマンドを信号処理回路２２に出力する。これに基づき信号処理回路２２でアクセス情報としての「Ｖｅｒｉｆｙ」信号が生成されて高周波回路２１を介して情報書き込み対象の無線タグ回路素子Ｔｏに送信され、返信を促す。その後ステップＳ３１０において、上記「Ｖｅｒｉｆｙ」信号に対応して書き込み対象の無線タグ回路素子Ｔｏから送信されたリプライ信号をアンテナ１４を介して受信し、高周波回路２１及び信号処理回路２２を介し取り込む。
【０１０９】
次に、ステップＳ３２０において、リプライ信号に基づき、当該無線タグ回路素子Ｔｏのメモリ部１５７内に記憶された情報を確認し、前述の送信した所定の情報がメモリ部１５７に正常に記憶されたか否かを判定する。
【０１１０】
判定が満たされない場合はステップＳ３３０に移ってＮに１を加え、さらにステップＳ３４０においてＮ＝５かどうかが判定される。Ｎ≦４の場合は判定が満たされずステップＳ２９０に戻り同様の手順を繰り返す。Ｎ＝５の場合は前述したステップＳ２８５に移り、同様にＦ＝１として、このルーチンを終了する。このようにして情報書き込みが不調でも５回までは再試行が行われる。
【０１１１】
ステップＳ３２０の判定が満たされた場合、ステップＳ３５０に移り、「Ｌｏｃｋ」コマンドを信号処理回路２２に出力する。これに基づき信号処理回路２２で「Ｌｏｃｋ」信号が生成されて高周波回路２１を介して情報書き込み対象の無線タグ回路素子Ｔｏに送信され、当該無線タグ回路素子Ｔｏへの新たな情報の書き込みが禁止し、このルーチンを終了する。
【０１１２】
以上のルーチンにより、書き込み対象の無線タグ回路素子ＴｏのＩＣ回路部１５１に対し、所望の情報（無線タグ情報）を書き込むことができる。
【０１１３】
以上において、図１０に示すステップＳ１１０〜１２５は、印字装置側情報出力手段から出力された結合情報に基づき、当該結合情報に含まれる識別情報を用いて、通信手段を介し、無線タグ回路素子のＩＣ回路部に対し情報読み取り又は情報書き込みを行う情報アクセス手段を構成する。
【０１１４】
情報サーバ７は、上記の無線タグ回路素子Ｔｏに固有の識別情報を対応する印字情報と関連づけた形で（ここでは識別情報と物品情報との相関として）格納可能なデータベースを備えた記憶装置７０（後述の図１３参照）を有している。記憶装置７０は、上述したように印字装置２から送られたパケット情報をデータベースに格納する機能だけでなく、無線タグ情報通信装置３による無線タグ回路素子Ｔｏへの識別情報の書き込みの成否を判定する機能を有している。
【０１１５】
図１２は、記憶装置７０（の図示しない制御回路）によって実行される情報書き込みの成否判定手順を表すフローチャートである。
【０１１６】
図１２において、まずステップＳ２０５で、上記印字装置２から送信されたパケット情報が通信回線４を介して入力されたかどうかが判断され、この判定が満たされると、ステップＳ２１０に移り、パケット情報の中から識別情報を取得する。
【０１１７】
その後、ステップＳ２１５において、上記無線タグ情報通信装置３から送信された書き込み完了信号（書き込み成功信号又は書き込み失敗信号）が通信回線４を介して入力されたかどうかが判断され、この判定が満たされると、ステップＳ２２０に移る。ステップＳ２２０では、書き込み完了信号が書き込み成功信号及び書き込み失敗信号のどちらであるかが判断され、書き込み成功信号が入力されたときはステップＳ２２５に移り、書き込み失敗信号が入力されたときはステップＳ２５０に移る。
【０１１８】
ステップＳ２２５では、上記無線タグ情報通信装置３から送信された書き込み情報（書き込むべき情報又は実際に書き込んだ情報）を通信回線４を介して取得し、ステップＳ２３０に移る。ステップＳ２３０では、その書き込み情報とステップＳ２１０で取得された識別情報とを照合し、これらの情報が一致するかどうかが判断され、この判定が満たされるとステップＳ２３５に移り、この判定が満たされないときはステップＳ２５０に移る。
【０１１９】
ステップＳ２３５では、書き込み成功表示信号を通信回線４を介し上記端末５及び汎用コンピュータ６へ出力し、対応する書き込み成功表示を行わせる。一方、ステップＳ２５０では、書き込み失敗（エラー）表示信号を通信回線４を介し上記端末５及び汎用コンピュータ６へ出力し、対応する書き込み失敗表示を行わせる。
【０１２０】
これにより、無線タグ情報通信装置３による無線タグ情報の書き込みが正しく行われたかどうかを端末５又は汎用コンピュータ６の表示により知ることができる。
【０１２１】
次に、以上のように構成した本実施形態の動作について、図１３により説明する。
【０１２２】
本実施形態の無線タグラベル生成システム１においては、まず操作者が、無線タグ回路素子Ｔｏに固有の識別情報（タグＩＤ）とこれに対応する印字情報（印字文字等）と付加情報とを端末５により操作入力する。すると、これらの識別情報、印字情報及び付加情報が印字装置２に送られ、印字装置２によりパケット情報（図６参照）が生成される。そして、そのパケット情報が、印字装置２から無線タグ情報通信装置３及び情報サーバ７にそれぞれ送られる。
【０１２３】
このとき、印字装置２では、印字ヘッド１０によって印字情報に対応した印字がカバーフィルム１０３に対して行われ、更に印字後のカバーフィルム１０３とラベル基材テープ１０１とが一体化されてなる印字済ラベルテープ１１０をカッタ１５で切断することで、無線タグ回路素子Ｔｏを含む印字ラベルＳが生成されて搬出される。
【０１２４】
また、無線タグ情報通信装置３のタッチパネル１４０には、印字装置２により生成された印字ラベルＳに対応する印字情報が表示される。操作者は、タッチパネル１４０の表示を見て、タッチパネル１４０に表示されている印字情報に対応する印字ラベルＳを無線タグ情報通信装置３の搬入口９Ａから差し込んで無線タグ情報通信装置３内に供給する。すると、印字ラベルＳに備えられた無線タグ回路素子Ｔｏに識別情報に対応するデータが書き込まれ、印字付きの無線タグラベルＴが完成されることになる。なお、タッチパネル１４０に印字情報が複数表示されている場合には、操作者は、タッチパネル１４０により何れか１つの印字情報を選択操作した後、その選択された印字情報に対応する印字ラベルＳを無線タグ情報通信装置３に供給する。
【０１２５】
以上のように本実施形態にあっては、印字装置２から無線タグ情報通信装置３へとパケット情報を出力しつつ、それら印字装置２と無線タグ情報通信装置３とを併せて用い、印字付きの無線タグラベルＴを生成することができる。この場合には、既存の印字装置２を活用しつつ、無線タグ情報通信装置３を新たに追加するだけで印字付きの無線タグラベルＴを生成できる。この結果、ラベル印字機能と無線通信機能との両方を備えた新たなタグラベル作成装置を用意するのに比べ、製造コストを低減することができる。
【０１２６】
なお、上記実施形態では、パケット情報を形成する識別情報及び印字情報等を端末５により操作入力するようにしたが、特にこれに限られず、例えば印字装置２自体にキーボード等の操作手段を設け、この操作手段により識別情報及び印字情報等を操作入力しても良い。
【０１２７】
また、上記実施形態では、印字装置２において識別情報、印字情報、付加情報を含むパケット情報を生成するものとしたが、特にこれに限られず、端末５においてパケット情報を生成し、そのパケット情報を印字装置２に送信するようにしても良い。このとき、端末５で生成されたパケット情報を端末５から無線タグ情報通信装置３及び情報サーバ７に直接送信しても良い。
【０１２８】
また、上記実施形態では、パケット情報に含まれる識別情報、印字情報及び付加情報の全てを無線タグ情報通信装置３に送るようにしたが、特にこれに限られず、無線タグ情報通信装置３に送るべき情報は少なくとも識別情報であれば良い。
【０１２９】
さらに、上記実施形態においては、印字ラベルＳに備えられた無線タグ回路素子ＴｏのＩＣ回路部１５１に無線タグ情報の書き込みを行う場合について説明したが、特にこれに限られず、無線タグ回路素子ＴｏのＩＣ回路部１５１に対する情報の読み取りを行って無線タグラベルＴの作成を行う場合にも適用可能である。
【０１３０】
本発明の第２の実施形態を図１４〜図２０により説明する。上記第１の実施形態と同等の部分には同一の符号を付し、適宜説明を省略する。
【０１３１】
本実施形態は、上記第１の実施形態のように印字装置においてパケット情報を生成するのではなく、無線タグ情報通信装置においてパケット情報を生成し、このパケット情報を印字装置に出力するものである。
【０１３２】
図１４は、本実施形態の印字装置及び無線タグ情報通信装置を備えた無線タグラベル生成システムを表すシステム構成図である。
【０１３３】
図１４に示すこの無線タグラベル生成システム２００において、印字装置２０２及び無線タグ情報通信装置２０３は、上記第１の実施形態と同様に、通信回線４を介して端末５、汎用コンピュータ６、及び情報サーバ７に接続されている。
【０１３４】
図１５は、上記無線タグ情報通信装置２０３の全体構造を概念的に表す概念的構成図である。
【０１３５】
図１５において、無線タグ情報通信装置２０３の装置本体２０９には、印字無しの無線タグラベルＴ´を生成するためのタグラベル用カートリッジ２０４が着脱可能に取り付けられている。
【０１３６】
タグラベル用カートリッジ２０４は、帯状のタグテープ２０５が巻回されたタグロール２０６と、上記タグテープ２０５を矢印で示す方向にテープ送りをしカートリッジ２０４から繰り出すテープ送りローラ２０７とを有している。タグテープ２０５には、複数の無線タグ回路素子Ｔｏがテープ長手方向に等間隔で順次形成されている。
【０１３７】
また装置本体２０９は、上記テープ送りローラ２０７を駆動するテープ送りローラ駆動軸２１２と、このテープ送りローラ駆動軸２１２を駆動する例えばパルスモータであるタグラベルカートリッジ用モータ２２３と、このカートリッジ用モータ２２３の駆動を制御するタグラベルカートリッジ駆動回路２２４と、タグテープ２０５を所定のタイミングで所定の長さに切断し無線タグラベルＴ´を生成するカッタ２１５と、このカッタ２１５を駆動して切断動作を行わせるソレノイド２２６と、そのソレノイド２２６を制御するソレノイド駆動回路２２７と、切断後の各タグラベルＴ´を搬出口２０９Ｂ（図１４参照）へと案内するための搬送ガイド１３と、上記タグテープ２０５に備えられる無線タグ回路素子Ｔｏとの間でＵＨＦ帯等の高周波を用いて無線通信により信号の授受を行うアンテナ１４と、このアンテナ１４を介し上記無線タグ回路素子Ｔｏへアクセスするための高周波回路２１と、無線タグ回路素子Ｔｏから読み出された信号を処理するための信号処理回路２２と、上記高周波回路２１、信号処理回路２２、タグラベルカートリッジ駆動回路２２４、ソレノイド駆動回路２２７等を介し、無線タグ情報通信装置２０３全体の動作を制御する制御回路２３０とを有している。制御回路２３０は、いわゆるマイクロコンピュータであり、入出力インターフェイス２３１を介し例えば通信回線４に接続されている。
【０１３８】
タグテープ２０５は、この例では保護紙２０５ａ、粘着層２０５ｂ及び剥離紙２０５ｃからなる３層構造となっている（後述の図１８参照）。粘着層２０５ｂには、上述したＩＣ回路部１５１及びアンテナ１５２からなる無線タグ回路素子Ｔｏが形成されている。
【０１３９】
図１６は、無線タグ情報通信装置２０３の制御回路２３０によって実行される制御のうち、上記の無線タグラベルＴ´の作成手順を表すフローチャートである。
【０１４０】
この図１６において、端末５又は汎用コンピュータ６の指示入力により無線タグ情報通信装置２０３が作動されると、このフローが開始される。
【０１４１】
まず、図１０と同様に、ステップＳ１０５において、変数Ｎ、フラグＦ、変数Ｍの初期化を行った後、ステップＳ１５５に移る。ステップＳ１５５では、上記端末５又は汎用コンピュータ６により識別情報、印字情報、付加情報が入力操作されて通信回線４を介して入力されたかどうかが判断され、この判定が満たされると、ステップＳ１６０に移る。
【０１４２】
ステップＳ１６０では、上述したように識別情報、印字情報、付加情報とヘッダとで構成されたパケット情報（図６参照）を生成する。続いて、ステップＳ１６５において、生成されたパケット情報を、通信回線４を介して印字装置２０２及び情報サーバ７に出力する。
【０１４３】
そして、ステップＳ１７０において、タグラベルカートリッジ駆動回路２２４に制御信号を出力し、タグラベルカートリッジ用モータ２２３の駆動力をテープ送りローラ２０７に伝達し、回転駆動させる。これにより、タグロール２０６からタグテープ２０５の繰り出し・搬送が開始される。
【０１４４】
その後、ステップＳ１２５において、無線タグ回路素子Ｔｏへの情報書き込みを行う（詳細は前述の図１１参照）。このステップＳ１２５が終了したら、ステップＳ１７５に移る。
【０１４５】
ステップＳ１７５では、タグテープ２０５の搬送量の検出信号を入力し、タグテープ２０５がカッタ２１５でカットすべき位置（例えば、対象とする無線タグ回路素子Ｔｏがカッタ２１５を十分に越えるだけの搬送距離）まで搬送されたかどうかを判断する。このときの搬送距離検出は、例えば、タグテープ２０５の適宜の位置に搬送距離検出用に別途設けたマーキング（図示せず）を何らかの公知のセンサ（図示せず）で検出することにより行えば足りる。
【０１４６】
そして、判定が満たされたらステップＳ１８０に移り、タグラベルカートリッジ駆動回路２２４に制御信号を出力し、タグラベルカートリッジ用モータ２２３の駆動を停止して、テープ送りローラ２０７の回転を停止する。これにより、タグロール２０６からのタグテープ２０５の繰り出し及び搬送が停止する。
【０１４７】
そして、ステップＳ１３５において、フラグＦ＝０であるかどうか（言いかえれば無線タグ情報書き込みが正常に終了したかどうか）を判定し、この判定が満たされたら、図１０と同様のステップＳ１４０，Ｓ１４５を経て、ステップＳ１８５に移る。
【０１４８】
ステップＳ１８５では、ソレノイド駆動回路２２７に制御信号を出力し、カッタ用ソレノイド２２６を駆動しカッタ２１５によってタグテープ２０５の切断を行う。ステップＳ１７５で前述したように、この時点で、処理対象の無線タグ回路素子Ｔｏはカッタ２１５の位置を十分に越える位置まで搬送されており、このカッタ２１５の切断によってラベル状の無線タグラベルＴ´が生成される。
【０１４９】
その後、図１０と同様のステップＳ１５０を行い、上記ステップＳ１８５で生成された無線タグラベルＴ´を搬送ガイド１３に沿って導かれた後搬出口２０９Ｂから装置２０３外へと搬出し、このフローを終了する。
【０１５０】
一方、ステップＳ１３５において判定が満たされないときは、図１０と同様のステップＳ１９０を行い、このフローを終了する。
【０１５１】
以上において、ステップＳ１５５，Ｓ１６０は、識別情報とこれに対応する印字情報とを含む結合情報を生成する通信装置側情報生成手段を構成する。ステップＳ１６５は、無線タグ回路素子の識別情報とこれに対応する印字情報との組合せに基づき、少なくとも印字情報を印字装置へ出力する通信装置側情報出力手段を構成する。ステップＳ１２５は、通信手段を介し、無線タグ回路素子のＩＣ回路部に対し情報読み取り又は情報書き込みを行う情報アクセス手段を構成する。
【０１５２】
図１７は、上記印字装置２０２の概略構造を表す概念的構成図である。図１７において、印字装置２０２は、上記の無線タグ情報通信装置２０３により作成された無線タグラベルＴ´に印字を行うことで、印字付きの無線タグラベルＴを生成するための装置である。
【０１５３】
印字装置２０２の装置本体２０８は、搬入口２０８Ａから搬入された無線タグラベルＴ´を矢印で示す方向に搬送する送りローラ２５７と、無線タグラベルＴ´における無線タグ回路素子Ｔｏに対応した領域に所定の印字（印刷）を行う印字ヘッド２５８と、この印字ヘッド２５８への通電を制御する印刷駆動回路２５９と、送りローラ２５７を駆動する送りローラ駆動軸２６０と、この送りローラ駆動軸２６０を駆動するラベル送り用モータ（例えばパルスモータ）２６１と、このラベル送り用モータ２６１の駆動を制御するモータ駆動回路２６２と、印刷駆動回路２５９及びモータ駆動回路２６２等を制御する制御回路２７０と、前述した図７に示すタッチパネル１４０と同様のタッチパネル２８０とを有している。制御回路２７０は、いわゆるマイクロコンピュータであり、図示しない入出力インターフェイスを介し例えば通信回線４に接続されている。
【０１５４】
図１８は、上記の印字装置２０２により生成される印字付きの無線タグラベルＴの側断面構造を表す縦断面図である。
【０１５５】
印字付きの無線タグラベルＴは、この例では３層構造となっており、印字される側（図１８中上側）よりその反対側（図１８中下側）へ向かって、保護紙２０５ａ、無線タグラベルＴを貼り付け対象に貼り付けるための粘着材を備えた粘着層２０５ｂ、この粘着層２０５ｂの貼り付け側を覆う剥離紙２０５ｃの順序で積層され構成されている。
【０１５６】
粘着層２０５ｂには、上述したように無線タグ回路素子Ｔｏが設けられている。剥離紙２０５ｃは、所定の商品等に貼り付けられる際に、これを剥がすことで粘着層２０５ｂにより当該商品等に接着できるようにしたものである。また、保護紙２０５ａの表側表面には、各無線タグ回路素子Ｔｏに対応して、印字Ｒ（識別文字等）が形成されている。
【０１５７】
図１９は、印字装置２０２の制御回路２７０によって実行される印字制御手順を表すフローチャートである。
【０１５８】
この図１９において、端末５又は汎用コンピュータ６の指示入力により印字装置２０２が作動されると、このフローが開始される。
【０１５９】
まずステップＳ５０において、上記無線タグ情報通信装置２０３から送信されたパケット情報が通信回線４を介して入力されたかどうかが判断され、この判定が満たされると、ステップＳ５５に移る。ステップＳ５５では、入力したパケット情報の中から、印字ヘッド２５８により印字すべき情報である印字情報を取得する。
【０１６０】
続いて、ステップＳ６０において、モータ駆動回路２６２に制御信号を出力し、ラベル送り用モータ２６１の駆動力を送りローラ２５７に伝達し回転駆動させる。これにより、装置本体２０８の搬入口２０８Ａ（図１４参照）から差し込まれた無印字の無線タグラベルＴ´が印字ヘッド２５８に向けて送られる。
【０１６１】
またこのとき、印刷駆動回路２５９に制御信号を出力し、印字ヘッド２５８を通電して、無線タグラベルＴ´の所定領域に、ステップＳ５５で読み込んだラベル印字（文字、記号、バーコード、ストライプ等）Ｒを印刷させる。これにより、印字付きの無線タグラベルＴが得られる。
【０１６２】
その後ステップＳ６５でラベル印字Ｒの印刷が完了したかどうかを適宜の手法で確認（印刷駆動回路２５９や印字ヘッド２５８よりフィードバック信号を入力してもよいし、公知のセンサで検出してもよい）した後、ステップＳ７０に移る。
【０１６３】
ステップＳ７０では、例えば適宜の駆動回路を介し、装置本体２０８の搬出口２０８Ｂ（図１４参照）側に位置する送出ローラ（図示せず）を回転させる。これにより、上記ステップＳ６０で生成された印字済み無線タグラベルＴが搬出口２０８Ｂから装置２０２外へと搬出される。
【０１６４】
次に、以上のように構成した本実施形態の動作について、図２０を用いて説明する。
【０１６５】
本実施形態の無線タグラベル生成システム２００においては、まず操作者が上記の識別情報、印字情報及び付加情報を端末５により操作入力すると、これらの情報が無線タグ情報通信装置２０３に送られ、無線タグ情報通信装置２０３においてパケット情報が生成される。そして、そのパケット情報が、無線タグ情報通信装置２０３から印字装置２０２及び情報サーバ７にそれぞれ送られる。
【０１６６】
このとき、無線タグ情報通信装置２０３では、タグテープ２０５に備えられた無線タグ回路素子Ｔｏに識別情報に対応するデータが書き込まれ、更にタグテープ２０５が切断されることで、無線タグ回路素子Ｔｏを含む無線タグラベルＴ´が生成される。
【０１６７】
また、印字装置２０２のタッチパネル２８０には、無線タグ情報通信装置２０３により生成された無線タグラベルＴ´に対応する識別情報及び印字情報の相関が表示される。その後、操作者は、タッチパネル２８０に表示されている識別情報及び印字情報の相関に対応する無線タグラベルＴ´を印字装置２０２の搬入口２０８Ａから差し込んで印字装置２０２内に供給する。すると、パケット情報に含まれる印字情報に対応した印字を無線タグラベルＴ´に対して行うことで、印字付きの無線タグラベルＴが完成する。
【０１６８】
以上のように本実施形態においては、無線タグ情報通信装置２０３から印字装置２０２へとパケット情報を出力しつつ、それら印字装置２０２と無線タグ情報通信装置２０３とを併せて用い、印字付の無線タグラベルＴを生成することができる。この場合には、既存の印字装置２０２を活用しつつ、無線タグ情報通信装置２０３を新たに追加するだけで無線タグラベルを生成できる。この結果、ラベル印字機能と無線通信機能との両方を備えた新たな無線タグ情報通信装置を用意するのに比べ、製造コストを低減することができる。
【０１６９】
なお、上記第２実施形態では、パケット情報を形成する識別情報及び印字情報等を端末５により操作入力するようにしたが、特にこれに限られず、例えば無線タグ情報通信装置２０３自体にキーボード等の操作手段を設け、この操作手段により識別情報及び印字情報等を操作入力しても良い。
【０１７０】
また、上記第２実施形態では、無線タグ情報通信装置２０３においてパケット情報を生成するものとしたが、特にこれに限られず、端末５においてパケット情報を生成し、そのパケット情報を無線タグ情報通信装置２０３に出力するようにしても良い。このとき、端末５で生成されたパケット情報を端末５から印字装置２０２及び情報サーバ７に直接送るようにしても良い。
【０１７１】
また、上記第２実施形態では、パケット情報に含まれる識別情報、印字情報及び付加情報の全てを印字装置２０２に送るようにしたが、特にこれに限られず、印字装置２０２に送るべき情報は少なくとも印字情報であれば良い。
【０１７２】
さらに、上記第２実施形態においては、タグテープ２０５に備えられた無線タグ回路素子ＴｏのＩＣ回路部１５１に無線タグ情報の書き込みを行う場合について説明したが、特にこれに限られず、無線タグ回路素子ＴｏのＩＣ回路部１５１に対する情報の読み取りを行って無線タグラベルＴを形成する場合にも適用可能である。
【０１７３】
また、上記第２実施形態では、３層構造のタグテープ２０５から形成された無線タグラベルＴ´に印字を行うものとしたが、上記の第１実施形態のようにカバーフィルムに印字を行い、このカバーフィルムと無線タグラベルＴ´とを貼り合わせるようにしても良い。
【０１７４】
なお、以上で用いた「Ｓｃｒｏｌｌ  Ａｌｌ  ＩＤ信号」、「Ｅｒａｓｅ信号」、「Ｖｅｒｉｆｙ信号」、「Ｐｒｏｇｒａｍ信号」とは、ＥＰＣ  ｇｌｏｖａｌが策定したＡｕｔｏ−ＩＤ仕様に準拠しているものとする。ＥＰＣ  ｇｌｏｖａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１７５】
その他、一々例示はしないが、本発明は、その趣旨を逸脱しない範囲内において、種々の変更が加えられて実施されるものである。
【図面の簡単な説明】
【０１７６】
【図１】本発明の第１の実施形態の印字装置及び無線タグ情報通信装置を備えた無線タグラベル生成システムを表すシステム構成図である。
【図２】図１に示す印字装置の全体構造を概念的に表す概念的構成図である。
【図３】図２に示した印字ラベルの側断面構造を表す縦断面図である。
【図４】図３に示した印字ラベルの上面図である。
【図５】図２に示した印字装置の制御回路によって実行される印字制御手順を表すフローチャートである。
【図６】図２に示した印字装置の制御回路の処理により生成されるパケット情報の構成を表す図である。
【図７】図１に示す無線タグ情報通信装置の全体構造を概念的に表す概念的構成図である。
【図８】図７に示した高周波回路の詳細機能を表す機能ブロック図である。
【図９】図２に示したタグテープに備えられた無線タグ回路素子の機能的構成を表す機能ブロック図である。
【図１０】図７に示した無線タグ情報通信装置の制御回路によって実行される制御のうち、印字付きの無線タグラベルの作成手順を表すフローチャートである。
【図１１】図１０のステップＳ１２５の詳細手順を表すフローチャートである。
【図１２】図１に示す情報サーバの記憶装置によって実行される情報書き込みの成否判定手順を表すフローチャートである。
【図１３】図１に示す無線タグラベル生成システムにより印字付きの無線タグラベルを生成する流れを表す概念図である。
【図１４】本発明の第２の実施形態の印字装置及び無線タグ情報通信装置を備えた無線タグラベル生成システムを表すシステム構成図である。
【図１５】図１４に示す無線タグ情報通信装置の全体構造を概念的に表す概念的構成図である。
【図１６】図１５に示した無線タグ情報通信装置の制御回路によって実行される制御のうち、無線タグラベルの作成手順を表すフローチャートである。
【図１７】図１４に示す印字装置の概略構造を表す概念的構成図である。
【図１８】図１７に示した印字装置により生成される印字付きの無線タグタベルの側断面構造を表す縦断面図である。
【図１９】図１７に示した印字装置の制御回路によって実行される印字制御手順を表すフローチャートである。
【図２０】図１４に示す無線タグラベル生成システムにより印字付きの無線タグラベルを生成する流れを表す概念図である。
【符号の説明】
【０１７７】
１          無線タグラベル生成システム
２          印字装置（第１印字装置）
３          無線タグ情報通信装置（第１無線タグ情報通信装置）
５          端末（操作端末、第１操作端末、第２操作端末）
７          情報サーバ
１０        印字ヘッド（印字手段）
１４        アンテナ（通信手段）
３０        制御回路（印字装置側情報出力手段、印字装置側情報生成手段、印字装置側情報入力手段）
７０        記憶装置（第１記憶装置、第２記憶装置、第１判定手段、第２判定手段）
１０１      タグテープ（タグ媒体）
１０３      カバーフィルム（被印字媒体）
１３０      制御回路（情報アクセス手段）
１４０      タッチパネル（通信装置側情報手段、通信装置側操作手段）
１５１      ＩＣ回路部
１５２      アンテナ
２００      無線タグラベル生成システム
２０２      印字装置（第２印字装置）
２０３      無線タグ情報通信装置（無線タグ情報通信装置、第２無線タグ情報通信装置）
２０５      タグテープ（タグ媒体）
２３０      制御回路（通信装置側情報出力手段、通信装置側情報生成手段、通信装置側情報入力手段、情報アクセス手段）
２５８      印字ヘッド（印字手段）
２７０      制御回路
２８０      タッチパネル（印字装置側情報手段、印字装置側操作手段）
Ｒ          印字
Ｓ          印字ラベル
Ｔ          無線タグラベル
Ｔ´        無線タグラベル
Ｔｏ          無線タグ回路素子
【図１】
2008080710.tif 000003
【図２】
2008080710.tif 000004
【図３】
2008080710.tif 000005
【図４】
2008080710.tif 000006
【図５】
2008080710.tif 000007
【図６】
2008080710.tif 000008
【図７】
2008080710.tif 000009
【図８】
2008080710.tif 000010
【図９】
2008080710.tif 000011
【図１０】
2008080710.tif 000012
【図１１】
2008080710.tif 000013
【図１２】
2008080710.tif 000014
【図１３】
2008080710.tif 000015
【図１４】
2008080710.tif 000016
【図１５】
2008080710.tif 000017
【図１６】
2008080710.tif 000018
【図１７】
2008080710.tif 000019
【図１８】
2008080710.tif 000020
【図１９】
2008080710.tif 000021
【図２０】
2008080710.tif 000022